(57)【要約】【課題】  成形金型の全面的な仕様変更を伴うことなく、容器内に収容した鶏卵の様子、殊に、賞味期限日表示ラベルに印刷された日付を外部から透視確認し易くした鶏卵包装用容器を提供すること。【解決手段】  鶏卵の下半部を収容する個別凹部１１を備えた容器本体１と、該個別凹部１１に対応する箇所に、鶏卵の上部を個別に覆う個別凹部２１が形成されている蓋体２とからなり、これらの両体１，２が個別に形成されているか、一側部でヒンジ部３を介して折り曲げ折り重ね自在に一体的に連結形成されている合成樹脂シート製の鶏卵包装用容器であって、蓋体２に形成された前記個別凹部２１のそれぞれに、当該凹部２１の底部に、同凹部２１の最大部分の幅Ｂに比して、その約４０％前後の広範囲を占める幅ｂを有する平坦面または僅かな曲面とした透明な内部透視窓２２を形成してある構造としたもの。【選択図】        図１
0003132850.tif 000002
【実用新案登録請求の範囲】
【請求項１】
鶏卵の下半部を収容する個別凹部(11)を備えた容器本体(1)と、該個別凹部(11)に対応する箇所に、鶏卵の上部を個別に覆う個別凹部(21)が形成されている蓋体(2)とからなり、これらの両体(1，2)が個別に形成されているか、一側部でヒンジ部(3)を介して折り曲げ折り重ね自在に一体的に連結形成されている合成樹脂シート製の鶏卵包装用容器であって、蓋体(2)に形成された前記個別凹部(21)のそれぞれに、当該凹部(21)の底部に、同凹部(21)の最大部分の幅(B)に比して、その約４０％前後の広範囲を占める幅(b)を有する平坦面または僅かな曲面とした透明な内部透視窓(22)を形成してある構造とした鶏卵包装用容器。
【考案の詳細な説明】
【技術分野】
【０００１】
本考案は、容器本体と蓋体とが別々に形成されているか、その一側部でヒンジ部を介して折り曲げ折り重ね自在に一体的に連結形成されている樹脂シート製の鶏卵包装用容器に関するものである。
【背景技術】
【０００２】
従来から、この種の樹脂シート製の鶏卵包装用容器は、容器内に鶏卵を収納して市場に流通させる包装容器として広く一般に周知されている。
【０００３】
この種の鶏卵包装用容器には、大別すると、後記の特許文献１に見られるように、容器本体に形成してある鶏卵収容用の個別凹部に対応させて、蓋体にも鶏卵の上部を個別に覆う個別凹部を形成してあるものと、後記の特許文献２に見られるように、蓋体２には、このような個別の凹部を形成することなく、略平坦な天板面を備えた広い凹入部に形成してあるものとがある。これらのものも何れも一般に周知されている。
【０００４】
本考案は、前者の蓋体にも鶏卵を個別に覆う個別凹部を形成してある鶏卵包装用容器のみを考案の対象としたものである。
【特許文献１】特開２０００−２０３６７７号公報
【特許文献２】特開２０００−３２７０５９号公報
【考案の開示】
【考案が解決しようとする課題】
【０００５】
而して、鶏卵には、生産者がその賞味期限日を表示することになっていて、従来は、容器に貼付された生産者等の表示ラベルの一部に記載する方法がとられていたが、近年、この表示方法が変わり、賞味期限日を表示した小指大の小さなラベルを個々の鶏卵に貼付することに変わりつつあり、個々の鶏卵によって賞味期限日を確認することができるように表示する方法が採用されだしていて、次第に普及しつつある。
【０００６】
然るところ、本考案が考案の対象としている、蓋体に個別凹部を形成した容器にあっては、このような鶏卵の個々に賞味期限日表示ラベルを貼着した鶏卵にあっては、内部に収容させた鶏卵の表示日を透視し難いという課題のあることを確認するに至った。
【０００７】
そこで、本考案は、成形金型の全面的な仕様変更を伴うことなく、容器内に収容された鶏卵の様子、殊に、賞味期限日表示ラベルに印刷された日付を可能な限り外部から透視して確認し易くした鶏卵包装用容器を開発することができたので、ここに提供しようとするものである。
【課題を解決するための手段】
【０００８】
該目的を達成するために講じた本考案にかかる鶏卵包装用容器の構成は、鶏卵の下半部を収容する個別凹部１１を備えた容器本体１と、該個別凹部１１に対応する箇所に、鶏卵の上部を個別に覆う個別凹部２１が形成されている蓋体２とからなり、これらの両体１，２が個別に形成されているか、一側部でヒンジ部３を介して折り曲げ折り重ね自在に一体的に連結形成されている合成樹脂シート製の鶏卵包装用容器であって、蓋体２に形成された前記個別凹部２１のそれぞれに、当該凹部２１の底部に、同凹部２１の最大部分の幅Ｂに比して、その約４０％前後の広範囲を占める幅ｂを有する平坦面または僅かな曲面とした透明な内部透視窓２２を形成してある構造としたものである。
【考案の効果】
【０００９】
本考案は以上の構成としたものであって、殊に、蓋体に形成されている個別凹部のそれぞれの凹部の底部に、同凹部の最大部分の幅Ｂに比して、その約４０％前後という広い範囲を占める幅ｂを有する平坦面または僅かな曲面に形成した透明な内部透視窓を形成してあるので、必ず鶏卵の最上部に貼着されているとは限らず、少し下側にずれて貼着されている小さなラベルの日付であっても、この広い透明な透視窓を通じて容易に確実に認識することができるという、従来の容器では困難であった日付確認が簡単にできる顕著な効果を有する。しかも、このような効果の期待できる容器を、成形金型を新作したり、大幅に改造する必要なく、小改造で形成できる利点もある。
【考案を実施するための最良の形態】
【００１０】
本考案を実施するに当たっては、蓋体２の各個別凹部２１のそれぞれの底部に形成してある透明な内部透視窓２２の形状を真円形にするのが透視角度に制限がない点で最も好ましいが、真円のみに限定されるものではなく、真円に近い多角形や外周部を凹凸波形状に形成してあるもの等として実施してもよい。また、該透視窓２２の曲面は、凹曲面としたものであっても凸曲面としたものであっても内部透視が容易にできる範囲の曲面としてあるものであればよい。
【実施例】
【００１１】
以下、本考案を実施例図面に基づいて説明する。図１乃至図１３は本考案の実施例を説明する鶏卵包装用容器を示したもので、図１は容器全体の開蓋状態を示す拡大平面図、図２は同容器の開蓋状態の平面図、図３は図１の容器の正面図、図４は同背面図、図５は同右側面図、図６は同左側面図、図７は図２に示したＡ−Ａ線矢視方向の切断端面図、図８は同Ｂ−Ｂ線矢視方向の切断端面図、図９は同Ｃ−Ｃ線矢視方向の切断端面図、図１０は同Ｄ−Ｄ線矢視方向の切断端面図、図１１は同Ｅ−Ｅ線矢視方向の切断端面図、図１２は同Ｆ−Ｆ線矢視方向の切断端面図、図１３は図２の容器の蓋体側から見た開蓋状態の斜視図である。
【００１２】
而して、該実施例に示した容器は、図１に拡大して示したように、同図において下方に示した容器本体１には、鶏卵収容用個別凹部１１，１１…を、前後（同図において上下）方向に２列、左右方向に５個、合計１０個の鶏卵を個別に収容させる容器であって、同図１の上方に示した蓋体２の形状も、容器本体１の形状と同様に、閉蓋姿勢において、容器本体１における各個別凹部１１とそれぞれ対応する部位に、前後（同図において上下）方向に２列、左右方向に５個、合計１０個の鶏卵の上部を個別に覆う個別凹部２１を形成してある。また、これらの容器本体１と蓋体２とは、その長手方向の一側部においてヒンジ部３を介して折り曲げ自在とし、蓋体２を容器本体１の上に折り重ねて使用するように一体的に連結成形してある容器である。
【００１３】
この容器本体１や蓋体２に形成してある鶏卵収容用の個別凹部１１，２１は、前後に２列、左右に２個、合計４個のみを形成してある容器や、前後に２列、左右に３個、合計６個形成してあるもの、前後に２列、左右に４個、合計８個、前後に２列、左右に６個、合計１２個形成してある容器であったり、前後に３列、左右に５個、合計１５個の凹部を形成してある容器等各種のものがあり、本考案にいう容器は、これらの何れの容器であってもよいことは言うまでもない。
【００１４】
鶏卵の包装は、賞味期限日を小さく印刷した小指大の小さなラベルを、上部近く部分に貼着してある鶏卵を、容器本体１の前記１０個の各卵収容凹部１１のそれぞれに、ラベル貼着部分を上にして個別に収容させた後、蓋体２を前記ヒンジ部３から容器本体１の上方に向かって折り曲げて容器本体１の上に折り重ねて鶏卵の上部を覆わせる。このようにした後容器本体１の遊端側のフランジ部１３と蓋体２の遊端側のフランジ部２３とをぴったりと重ね合わせて、その外端縁に、片面に接着剤を塗布した封緘用の接着テープの幅方向中間部分を当てつけながら、該テープを側面視横向きＵ字形に折り曲げて折り重ねとしつつ外側から包み込むようにして上下のフランジ部１３，２３に接着させて封緘する。このようにして封緘した後、段ボールケース等に入れて梱包し市場に出荷する。
【００１５】
而して、該実施例に示した蓋体２は、前記個別凹部２１のそれぞれに、その凹部２１の底部分に、同凹部２１を形成する最大部分、図１に示した一つの凹部２１が占める平面の幅Ｂ＝隣接境界間の幅Ｂ又は隣接する二つの凹部のセンター間の幅Ｂ＝に比して、その約４０％の大きさを占める幅ｂを有する真円形の平坦面とした透明な内部透視窓２２を形成してある。
【００１６】
より具体的に実施例図の蓋体２の実寸について例示すると、蓋体２の左右方向における５個の個別凹部２１を形成する最外側間の長さＬを２４０ｍｍ、個々の凹部２１の幅Ｂを４８ｍｍ、各凹部２１の底部に形成した真円形の透明な内部透視窓２２の幅ｂを１９ｍｍ強としたものである。
【００１７】
ここに記載の各凹部２１の底部に形成した内部透視窓２２の大きさは、個々の凹部２１の最大部分の幅Ｂに比してその約４０％前後、数値的には±５〜６％程度の範囲内で実施されるのが好ましく、より狭い範囲でみれば±４％程度の範囲を占める大きさ（幅ｂ）として実施されるのが好ましい。
【００１８】
この数値は必ずしもこの範囲でなければならないものではないが、例えば４０％−６％よりも小さいものとした場合には、前記実施例に示した数値でみると１６．３ｍｍよりも小さくなって、賞味期限印刷ラベルの貼着位置が鶏卵の最上部からずれている場合には見にくくなり、４０％＋６％よりも大きいものとした場合には、同じく前記実施例に示した数値でみると２２．０ｍｍよりも大きいものとなるので、各凹部２１の形状を直円筒に近い形状とするか、深さの浅い形状にしなければならないこととなり、直円筒に近い形状とした場合には、成形膨張度が大きくなって外部からの加重に対する変形強度が弱くなり、鶏卵の保護強度を弱めることとなり、深さの浅い形状にした場合には、鶏卵の上部が内部透視窓２２と接触し外部からの加重を鶏卵自体で支えなければならなくなり、やはり鶏卵の保護が充分にはできなくなる。そのため、この内部透視窓２２の大きさは前記のように凹部２１の最大部分の幅Ｂに比して４０％前後、±５〜６％程度の範囲内で実施するのが好ましい。
【００１９】
以上本考案の代表的と思われる実施例について説明したが、本考案にいうところの容器は、上記実施例図に示した容器の形状のみに限られるものではなく、例えば前記のように鶏卵６個用や８個用等に変更したり、各凹部１１，２１におけるリブの形状を適宜に変形させて実施することができるものである。
【産業上の利用可能性】
【００２０】
本考案にいう容器は、容器内に収容された個々の鶏卵に貼着された賞味期限の日付を外部から極めて容易に確認できるので、需用者に好感をもって迎えられるもの思われ、直ちに市場に受け入れられて普及すると期待されるものである。
【図面の簡単な説明】
【００２１】
【図１】容器全体の開蓋状態を示す拡大平面図。
【図２】同容器の開蓋状態の平面図。
【図３】図１の容器の正面図。
【図４】同背面図。
【図５】同右側面図。
【図６】同左側面図。
【図７】図２に示したＡ−Ａ線矢視方向の切断端面図。
【図８】同Ｂ−Ｂ線矢視方向の切断端面図。
【図９】同Ｃ−Ｃ線矢視方向の切断端面図。
【図１０】同Ｄ−Ｄ線矢視方向の切断端面図。
【図１１】同Ｅ−Ｅ線矢視方向の切断端面図。
【図１２】同Ｆ−Ｆ線矢視方向の切断端面図。
【図１３】図２の容器の蓋体側から見た開蓋状態の斜視図。
【符号の説明】
【００２２】
１  容器本体
１１，２１  個別凹部
２  蓋体
２２  内部透視窓
３  ヒンジ部
Ｂ  個別凹部の幅
ｂ  内部透視窓の幅
【図１】
0003132850.tif 000003
【図２】
0003132850.tif 000004
【図３】
0003132850.tif 000005
【図４】
0003132850.tif 000006
【図５】
0003132850.tif 000007
【図６】
0003132850.tif 000008
【図７】
0003132850.tif 000009
【図８】
0003132850.tif 000010
【図９】
0003132850.tif 000011
【図１０】
0003132850.tif 000012
【図１１】
0003132850.tif 000013
【図１２】
0003132850.tif 000014
【図１３】
0003132850.tif 000015